(57)【要約】【課題】柱部と屋根部の取付けおよび取外しを容易に行うことのできる一本足型の建築物を提供する。【解決手段】屋根部１を一本の柱部２で支える一本足型の建築物において、前記屋根部１の屋根本体１ａから垂下設した金属製屋根パイプ１ｂの下端部と、柱部２を構成する金属製柱パイプ２ａの上端部とを嵌合し、前記屋根パイプ１ｂの下端部に、水平方向に突出した複数のガイド棒Ｂを設け、前記柱パイプ２ａの上端部に、前記ガイド棒Ｂを受け入れガイド棒Ｂが回転しながら侵入する螺溝Ｓを形成すると共に、当該螺溝Ｓの終端部に、前記ガイド棒Ｂの回転を阻止する凹溝Ｈを形成した接合螺旋溝Ｊを設ける。【選択図】　　　図３
2004100172.tif 000002
【特許請求の範囲】
【請求項１】
屋根部を一本の柱部で支える一本足型の建築物において、
前記屋根部の屋根本体から垂下設した金属製屋根パイプの下端部と、柱部を構成する金属製柱パイプの上端部とを嵌合し、
前記屋根パイプの下端部および柱パイプの上端部のうちいずれか一方に、水平方向に突出した複数のガイド棒を設け、
複数のガイド棒が設けられなかった他方の前記柱パイプの上端部または屋根パイプの下端部に、前記ガイド棒を受け入れガイド棒が回転しながら侵入する螺溝を形成すると共に、該螺溝の終端部に、前記ガイド棒の回転を阻止する凹溝を形成した接合螺旋溝を設けてなることを特徴とする一本足型建築物。
【請求項２】
前記柱パイプの周面を木材製筒柱で覆い、その木材製筒柱の上端部に嵌合する冠状の蓋部を、前記屋根パイプに設けてなることを特徴とする請求項１に記載の一本足型建築物。
【発明の詳細な説明】
【０００１】
【発明の属する技術分野】
本発明は、例えば、庭園に建築される東屋（あずまや）のように、屋根部を一本の柱部で支える構造の建築物に関するものである。
【０００２】
【従来の技術】
従来から、例えば、庭園等に設置される東屋のように、屋根を一本の柱部で支える簡易な構造のいわゆる一本足型建築物が存在する。
この一本足型建築物は、一般に、その殆どを工場で製造した基礎部と柱部と屋根部とから構成され、建築現場において基礎部を据え置いた後、その上に柱部を立て、さらに、その柱部に屋根部を接合することによって築造している。
【０００３】
ここで、柱部と屋根部の接合は、両者の接合端部を半割構造とし、それらを交錯させた状態とし、その部分をボルト止めすることによって行っている。
従って、両者を強固に接合することができるといった特徴を有する。
【０００４】
【発明が解決しようとする課題】
しかしながら、この従来の一本足型建築物においては、柱部と屋根部をボルトで接合するので取付け作業が厄介であり、また、同様に、両者を取外す作業も面倒であるといった問題がある。
こうした構造の一本足型建築物は、移転する必要も生じるため、柱部と屋根部は、その取付けのみならず、取り外しも容易であることが求められる。
【０００５】
そこで、本発明の目的とするところは、柱部と屋根部の取付けおよび取外しを容易に行うことのできる一本足型の建築物を提供することにある。
【０００６】
【課題を解決するための手段】
上記の目的を達成するために、本発明の請求項１に記載の一本足型建築物は、屋根部（１）を一本の柱部（２）で支える一本足型の建築物において、前記屋根部（１）の屋根本体（１ａ）から垂下設した金属製屋根パイプ（１ｂ）の下端部と、柱部（２）を構成する金属製柱パイプ（２ａ）の上端部とを嵌合し、前記屋根パイプ（１ｂ）の下端部および柱パイプ（２ａ）の上端部のうちいずれか一方に、水平方向に突出した複数のガイド棒（Ｂ）を設け、複数のガイド棒（Ｂ）が設けられなかった他方の前記柱パイプ（２ａ）の上端部または屋根パイプ（１ｂ）の下端部に、前記ガイド棒（Ｂ）を受け入れガイド棒（Ｂ）が回転しながら侵入する螺溝（Ｓ）を形成すると共に、当該螺溝（Ｓ）の終端部に、前記ガイド棒（Ｂ）の回転を阻止する凹溝（Ｈ）を形成した接合螺旋溝（Ｊ）を設けてなることを特徴とする。
【０００７】
また、請求項２に記載の一本足型建築物は、前記柱パイプ（２ａ）の周面を木材製筒柱（２ｂ）で覆い、その木材製筒柱（２ｂ）の上端部に嵌合する冠状の蓋部（１ｃ）を、前記屋根パイプ（１ｂ）に設けてなることを特徴とする。
【０００８】
なお、括弧内の記号は、図面および後述する発明の実施の形態に記載された対応要素または対応事項を示す。
【０００９】
本発明の請求項１に記載の一本足型建築物によれば、屋根パイプの下端部および柱パイプの上端部のうちいずれか一方に、水平方向に複数のガイド棒を設け、ガイド棒が設けられなかった他方の柱パイプの上端部または屋根パイプの下端部に、ガイド棒が回転しながら侵入する螺溝とその終端部に形成した凹溝からなる接合螺旋溝を設けているので、屋根部と柱部の取付けおよび取外しを容易に行うことができる。
【００１０】
すなわち、屋根部を柱部に取付けるには、当該屋根部を重機等で持ち上げ、その屋根パイプの下端部を柱パイプの上端部に、ガイド棒が螺溝に侵入するようにして嵌合させた後、徐々に降下させるのみで良い。これにより、屋根部の自重によって、ガイド棒が回転しながら螺溝を通過して凹溝に達し、特別の作業を要することなく取付けが完了する。
【００１１】
なお、取付けが完了した状態ではガイド棒が凹溝に侵入しているので、風などによって屋根部に回転力が作用しても、当該凹溝によって回転が阻止される。
【００１２】
また、屋根部を柱部から取外すには、同様に重機等によって屋根部を持ち上げるのみで良い。これにより、ガイド棒が凹溝から抜け出した後、螺溝を通過し、屋根部が柱部から離脱し、取外しが完了する。
【００１３】
また、請求項２に記載の発明によれば、請求項１に記載の発明の作用効果に加えて、屋根パイプに、柱パイプの周面を覆う木材製筒柱の上端部に嵌合する冠状の蓋部を設けたので、筒柱の割れや開きを未然に防止することができ、柱部の外観を形成する当該筒柱の見栄えを良好に維持することができる。
【００１４】
【発明の実施の形態】
図１乃至図５を参照して、本発明の実施形態に係る一本足型建築物の実施形態について説明する。図１は一本足型建築物を示す正面断面図、図２はその平面図、図３はその要部拡大正面断面図である。また、図４は屋根部と柱部を取外した状態の要部拡大正面図であり、図５はその側面図である。
【００１５】
本発明の実施形態に係る一本足型建築物は、屋根部１を一本の柱部２で支える一本足型の東屋（あずまや）であり、基礎部３、柱部２および屋根部１から構成される。柱部２は、基礎部３の中心に立てて取付けるものである。また、柱部２と屋根部１は、屋根部１の屋根本体１ａから垂下設した金属製屋根パイプ１ｂの下端部を、柱部２の内部を構成する金属製柱パイプ２ａの上端部に嵌入して取付けるものである。金属製屋根パイプ１ｂの下端部の径は、金属製柱パイプ２ａの上端部の径よりも小さく差し込まれるようになっている。
【００１６】
係る取付構造は、屋根パイプ１ｂの下端部に、水平方向に二つのガイド棒Ｂを外方へ突設すると共に、柱パイプ２ａの上端部に接合螺旋溝Ｊを形成して構成している。
また、この接合螺旋溝Ｊは、ガイド棒Ｂを受け入れガイド棒Ｂが回転しながら侵入すべく形成した螺溝Ｓの終端部に、それに連続してその下方向に、ガイド棒Ｂを受け入れガイド棒Ｂの回転を阻止する凹溝Ｈを形成して構成している。
【００１７】
なお、柱パイプ２ａの周面を覆う木材製筒柱２ｂの上端面と蓋部１ｃとの間に金属製のリング４を設け、屋根パイプ１ｂと柱部２との組付きを強化している。また、木材製である筒柱２ｂ上端の屋根部１を支持する面の強化も図っている。また、この柱部２には、利用者が座るための座板５および当該利用者の背中を支持するサポートバー６を設けている。
【００１８】
この東屋を築造するには、まず、庭園などの築造場所に基礎部３を設ける。次に、柱部２をこの基礎部３に立てて取付ける。次に、屋根部１を重機等で持ち上げ、屋根パイプ１ｂの下端部を柱パイプ２ａの上端部に嵌合させる。このとき、ガイド棒Ｂを接合螺旋溝Ｊに侵入させる。続いて、屋根部１を降下させる。これにより、屋根部の自重によってガイド棒Ｂが回転しながら侵入し螺溝Ｓを通過して凹溝Ｈに達し、取付けが完了する。
従って、従来技術のようにボルト止めといった特別の作業を不要とし、取付け作業がきわめて容易である。
【００１９】
また、屋根部１を柱部２から取外すには、同様に重機等によって屋根部１を持ち上げる。これにより、ガイド棒Ｂが凹溝Ｈから抜け出した後、螺溝Ｓを通過し、屋根部１が柱部２から離脱し、取外しが完了する。
この場合も、屋根部１を持ち上げるのみで良いので、作業がきわめて容易である。
【００２０】
なお、本実施形態においては、屋根パイプ１ｂに冠状の蓋部１ｃを溶接によって一体的に設け、この蓋部１ｃで、柱パイプ２ａの周面を覆う木材製筒柱２ｂの上端部を嵌合して覆っている。
従って、木材製である筒柱２ｂの割れや開きを未然に防止することができ、柱部２の見栄えを良好に保つことができる。
【００２１】
また、本実施形態では屋根パイプ１ｂの下端部側にガイド棒Ｂを突出するように設け、柱パイプ２ａの上端部側にガイド棒Ｂが受け入れられ嵌め込まれる接合螺旋溝Ｊを形成するようにしたが、逆に屋根パイプ１ｂの下端部側に接合螺旋溝Ｊを設け、柱パイプ２ａの上端部側にガイド棒Ｂを設けるようにしてもよい。
【００２２】
【発明の効果】
本発明の請求項１に記載の一本足型建築物によれば、屋根パイプの下端部／または柱パイプの上端部に、水平方向に複数のガイド棒を設け、柱パイプの上端部／または屋根パイプの下端部に、ガイド棒が回転しながら侵入する螺溝とその終端部に形成した凹溝からなる接合螺旋溝を設けているので、屋根部を柱部に取付けるには、当該屋根部を重機等で持ち上げ、その屋根パイプの下端部を柱パイプの上端部に、ガイド棒が接合螺旋溝に侵入するようにして嵌合させた後、徐々に降下させるのみで良い。従って、屋根部と柱部の取付けを容易に行うことができる。また、屋根部を持ち上げるのみで柱部から取外すことができるので、取外しも同様に容易である。
【００２３】
また、請求項２に記載の発明によれば、請求項１に記載の発明の作用効果に加えて、屋根パイプに、柱パイプの周面を覆う木材製筒柱の上端部に嵌合する冠状の蓋部を設けたので、筒柱の割れや開きを未然に防止することができ、柱部の外観を良好に維持することができる。
【図面の簡単な説明】
【図１】本発明の実施形態に係る一本足型建築物を示す正面断面図である。
【図２】図１に示す一本足型建築物の平面図である。
【図３】図１に示す一本足型建築物の要部拡大正面断面図である（取付け状態）。
【図４】図１に示す一本足型建築物の要部拡大正面図である（取外し状態）。
【図５】図１に示す一本足型建築物の要部拡大側面図である（取外し状態）。
【符号の説明】
１　　　屋根部
１ａ　　屋根本体
１ｂ　　屋根パイプ
１ｃ　　蓋部
２　　　柱部
２ａ　　柱パイプ
２ｂ　　筒柱
３　　　基礎部
４　　　リング
５　　　座板
６　　　サポートバー
Ｂ　　　ガイド棒
Ｊ　　　接合螺旋溝
Ｓ　　　螺溝
Ｈ　　　凹溝
【図１】
2004100172.tif 000003
【図２】
2004100172.tif 000004
【図３】
2004100172.tif 000005
【図４】
2004100172.tif 000006
【図５】
2004100172.tif 000007